(57)【特許請求の範囲】
【請求項１】
給紙口に用紙の供給方向への進行を許容し、用紙の供給方向と反対方向への移動を阻止するロック機構を設置し、
前記ロック機構は、先端に押さえ部を備えたレバーをプリンタの筐体に対して回動自在に設置し、前記押さえ部を前記レバーの支点から用紙通路へ直角に下ろした点よりも印字ヘッド側の位置にて前記用紙通路に当接可能に臨ませ、
前記レバーは、プリンタカバーの開閉に連動するように設置し、
前記プリンタカバーを開ける動作により、前記レバーが前記押さえ部材の自重で前記用紙通路方向に回動し、
前記プリンタカバーを閉じる動作により、前記レバーが前記用紙通路から退避する方向に回動するようにしたことを特徴とするプリンタ。
【発明の詳細な説明】
【０００１】
【発明の属する技術分野】
本発明は、プリンタに関するもので、特にはプリンタの筐体の側壁外部から用紙を供給するタイプのプリンタに好適な用紙供給機構に関するものである。
【０００２】
【従来の技術】
例えば、図３に示したようなプリンタでは、つづら折りに畳まれた用紙１を筐体２の用紙供給口３から内部に供給し、その用紙１を用紙通路４に沿ってプラテンローラ５とサーマルヘッド６等によって構成される印字部７に挿通させ、該印字部７によって用紙１に印字を施している。
【０００３】
このようなプリンタでは、用紙供給口３が筐体２の側面に形成され、用紙１を該供給口３からほぼ水平方向へ挿入する。また、サーマルヘッド６は、用紙１を印字部７にセットし易いように、プリンタカバー８等の先端に支持され、用紙１を印字部７にセットする際に、サーマルヘッド６をプラテンローラ５から大きく離反させ、十分な作業間隔を確保できるように構成されている。
【０００４】
ところで、用紙１を印字部７にセットするには、プリンタカバー８を持ち上げたサーマルヘッド６をプラテンローラ５から離反させた状態で、用紙１の先端を筐体２の用紙供給口３から筐体２内に差し込み、その先端を掴んで用紙１をさらに筐体２内に引込み、そして印字部７に挿入させた後、プリンタカバー８を下ろしてサーマルヘッド６を用紙１上に載せ、それによって用紙１をサーマルヘッド６とプラテンローラ５間に挟持させる。
【０００５】
【発明が解決しようとする課題】
しかしながら、このようなプリンタでは、用紙１を筐体の用紙供給口３から内部へ差し込んだ後に、用紙１から手を一旦離し、印字部７側から用紙１を再度掴み直さなくてはならず、その間に筐体２外に残存する用紙１の重み等によって用紙１が外部へ戻され、筐体２から脱落する虞がある。
【０００６】
本発明はかかる事情に鑑みてなされたもので、用紙供給口から供給された用紙の脱落を防止したプリンタを提供することを目的とする。
【０００７】
【課題を解決するための手段】
本発明は前記目的を達成するために、本発明のプリンタでは、
給紙口に用紙の供給方向への進行を許容し、用紙の供給方向と反対方向への移動を阻止するロック機構を設置し、
前記ロック機構は、先端に押さえ部を備えたレバーをプリンタの筐体に対して回動自在に設置し、前記押さえ部を前記レバーの支点から用紙通路へ直角に下ろした点よりも印字ヘッド側の位置にて前記用紙通路に当接可能に臨ませ、
前記レバーは、プリンタカバーの開閉に連動するように設置し、
前記プリンタカバーを開ける動作により、前記レバーが前記押さえ部材の自重で前記用紙通路方向に回動し、
前記プリンタカバーを閉じる動作により、前記レバーが前記用紙通路から退避する方向に回動するようにしたことを特徴としている。
【０００８】
この発明によれば、給紙口から差し込まれた用紙は、ロック機構によって、戻ることなくそこに保持される。そこで、用紙から一旦手を放し、姿勢を変えて再び用紙を掴んで、印字部まで導くことができる。その際には用紙はロックされることはなく、用紙のセット作業が容易になる。
【００１０】
この発明によれば、給紙口から差し込まれた用紙が脱落しようとすると、押さえ部が用紙と共に給紙通路方向へ回動されて用紙に食い込む。したがって用紙の脱落は阻止される。一方、給紙口から差し込まれた用紙の先端を掴んで印字部へ引っ張ると、押さえ部が用紙と共に給紙通路から離反する方向へ回動されて、用紙の拘束が解除される。したがって、用紙の移動は妨げられることはない。
【００１１】
本発明のプリンタでは、前記ロック機構の前記レバーをプリンタカバーの開閉動作に連動し、該カバーを閉じる動作で前記押さえ部材を前記用紙通路から退避させるようにしたことを特徴としている。
【００１２】
この発明によれば、用紙をセットする際、即ち印字ヘッドをプラテンローラ等から離反させた状態においては、ロック機構の機能が働き、用紙のセットが完了して印字可能状態にした際、即ち印字ヘッドをプラテンローラ等に当接させた状態においては、ロック機能を解除させる。この様態においては、押さえ部は用紙に全く接触することはなく、したがって押さえ部が給紙の際の抵抗になる虞れはない。
【００１３】
【発明の実施の形態】
以下添付図面に従って本発明のプリンタの好ましい実施の形態を詳説する。
【００１４】
図１及び図２は、本発明に係るプリンタの要部を概念的に示したもので、図１は用紙を印字部にセットする際の状態を示し、図２は用紙への印字可能状態を示している。
【００１５】
このプリンタでは、筐体１０の側板１０ａに給紙口１１が形成され、側板１０ａに対向する側板１０ｂに排出口１２が形成されている。また、給紙口１１から排出口１２までの間に用紙通路１３が形成され、該用紙通路１３の排出口１２近傍に印字部１４が配設されている。印字部１４はプラテンローラ１４ａと印字ヘッド１４ｂとによって構成されている。印字ヘッド１４ｂは、用紙通路１３の上方を覆うように設置されたプリンタカバー１５の先端に設置されており、プリンタカバー１５の基端は軸１６によって筐体１０に対して回動自在に支持されている。
【００１６】
また、用紙通路１３の給紙口１１付近には、用紙Ａのロック機構１７が設置されている。このロック機構１７は、レバー１８の中間部をピン１９によって筐体１０に対して回動自在に支持させ、該レバー１８の先端部にゴム等の摩擦部材によって形成された押さえ部２０を配設している。そして、このレバー１８では、該レバー１８のピン１９、即ち支点から用紙通路１３に垂直に下ろした点ａよりも印字部１４側で押さえ部２０が用紙通路１３に当接している。さらに、このレバー１８の基端には舌片２１が突設されている。
【００１７】
そして、このレバー１８は、押さえ部２０の重力によって、図１において反時計方向に回動され、押さえ部２０を用紙通路１３に当接させている。
【００１８】
また、このレバー１８の舌片２１は、プリンタカバー１５の移動域に臨んで配置されており、図２に示したように、プリンタカバー１５のセット状態でプリンタカバー１５の突起１５ａに接触し、レバー１８を図２において時計方向に回動させる。
【００１９】
このように構成されたプリンタでは、以下のようにしてロック機構１７が作動される。
【００２０】
先ず、図１に示した状態で、用紙Ａが筐体１０内へ導かれる。この状態では、プリンタカバー１５が上方へ回動され、印字ヘッド１４ｂがプラテンローラ１４ａから離反した状態にある。また、レバー１８の押さえ部２０は、自重で用紙通路１３に当接している。
【００２１】
この状態で、用紙Ａの先端を給紙口１１に筐体１０の外部から差し込み、該用紙Ａの先端を押さえ部２０を押し退けて、その先まで押し込む。
【００２２】
すると、用紙Ａは、押さえ部２０と用紙通路１３間に挟まれて、そこに保持される。もし、この状態で、用紙Ａが給紙口１１から抜け出ようとする力が用紙Ａに作用しても、該用紙Ａの移動に伴って押さえ部２０が追従しようとしてレバー１８が図１において反時計方向に回動され、押さえ部２０が用紙Ａに食い込むように作用し、したがって用紙Ａの移動は阻止される。
【００２３】
その結果、用紙Ａはそこに留められる。
【００２４】
次いで、用紙Ａの先端を摘んで、用紙Ａを筐体１０内に引き込み、その先端をプラテンローラ１４ａ上に載置する。そして、プリンタカバー１５を図２に示したように、反時計方向へ回動させて印字ヘッド１４ｂを用紙Ａの先端部に載置させる。したがって、用紙Ａの先端はプラテンローラ１４ａと印字ヘッド１４ｂ間で挟持されることになる。
【００２５】
その際、プリンタカバー１５の突起１５ａはロック機構１７の舌片２１を押し、レバー１８は図２において時計方向へ回動され、押さえ部２０が用紙Ａの移動域から待避する。
【００２６】
したがって、用紙Ａがプラテンローラ１４ａと印字ヘッド１４ｂ間にセットされている状態では、押さえ部２０が用紙Ａに当接することなく、用紙Ａに不必要な摩擦抵抗が生じることがない。
【００２７】
なお、上記実施の形態では、ロック機構１７の押さえ部２０を自重によって用紙通路１３（用紙Ａ）に当接させるようにしているが、当接力を増大させるために、スプリング（弾性部材）の付勢力によって押さえ部２０を用紙通路１３（用紙Ａ）に圧接させるようにしてもよい。
【００２８】
【発明の効果】
本発明のプリンタによれば、給紙口から差し込まれた用紙が脱落しようとすると、押さえ部が用紙と共に給紙通路方向へ回動されて用紙に食い込む。したがって、用紙の脱落は阻止される。一方、給紙口から差し込まれた用紙の先端を掴んで印字部へ引っ張ると、押さえ部が用紙と共に給紙通路から離反する方向へ回動されて、用紙の拘束を開放する。したがって、用紙の移動は妨げられることはない。
【００３０】
本発明のプリンタによれば、用紙をセットする際、即ち印字ヘッドをプラテンローラ等から離反させた状態においては、ロック機構の機能が働き、用紙のセットが完了して印字可能状態にした際、即ち印字ヘッドをプラテンローラ等に当接させた状態においては、ロック機能を解除させる。この様態においては、押さえ部は用紙に全く接触することはなく、したがって給紙の際の抵抗になる虞れはない。
【図面の簡単な説明】
【図１】本発明に係るプリンタのロック機構を示したもので、該ロック機構が機能する状態を示した概念図である。
【図２】本発明に係るプリンタのロック機構を示したもので、該ロック機構が機能しない状態を示した概念図である。
【図３】プリンタを説明するための概念図である。
【符号の説明】
１０…筐体、１０ａ，１０ｂ…側板、１１…給紙口、１２…排出口、１３…用紙通路、１４…印字部、１４ａ…プラテンローラ、１４ｂ…印字ヘッド、１５…プリンタカバー、１５ａ…突起、１６…軸、１７…ロック機構、１８…レバー、１９…ピン、２０…押さえ部、２１…舌片、Ａ…用紙
【図１】
0004652542.tif 000002
【図２】
0004652542.tif 000003
【図３】
0004652542.tif 000004